(57)【特許請求の範囲】
【請求項１】
一対の入力点と一対の出力点との間に電気的に接続された複数の変換用スイッチ素子を有し、前記複数の変換用スイッチ素子のスイッチングにより、前記一対の入力点に印加される直流電圧を交流電圧に変換して前記一対の出力点から出力するインバータ回路と、
前記一対の出力点間に電気的に接続され、前記交流電圧が印加されることにより受電側コイルに非接触で出力電力を供給する給電側コイルと、
前記一対の出力点のうち少なくとも一方と前記給電側コイルとの間に電気的に接続され、調整用コンデンサおよび複数の調整用スイッチ素子を有し、前記複数の調整用スイッチ素子のスイッチングにより、前記調整用コンデンサの充放電を行う電力補正回路と、
第１駆動信号にて前記複数の変換用スイッチ素子を制御し、第２駆動信号にて前記複数の調整用スイッチ素子を制御する制御回路とを備え、
前記インバータ回路は、電圧位相に対して電流位相が遅れ位相になる遅相モードで動作しており、
前記制御回路は、前記第１駆動信号に対する前記第２駆動信号の位相の遅れである第１位相差を調整することにより、前記出力電力の大きさを調整するように構成されており、
前記制御回路は、前記インバータ回路の出力電圧に対する前記給電側コイルに流れる電流の位相の遅れである第２位相差を用いて、前記第２駆動信号の１周期において前記調整用コンデンサが充電される時間と前記調整用コンデンサが放電される時間とが等しくなる第１位相差を電力制御開始角として取得し、前記電力制御開始角以下の範囲で前記第１位相差を調整することにより、前記出力電力の大きさを調整する
ことを特徴とする非接触給電装置。
【請求項２】
前記制御回路は、前記電力制御開始角を初期値として、前記第１位相差を徐々に小さくして、前記出力電力を徐々に大きくする
ことを特徴とする請求項１に記載の非接触給電装置。
【請求項３】
前記制御回路は、
前記第２位相差を予め定められた所定値に加算した値を、前記電力制御開始角として取得する
ことを特徴とする請求項１または２に記載の非接触給電装置。
【請求項４】
前記所定値は、２７０度である
ことを特徴とする請求項３に記載の非接触給電装置。
【請求項５】
前記制御回路は、前記出力電力の大きさが減少している場合に前記調整用コンデンサの電圧が０になると、前記電力補正回路を停止状態にする
ことを特徴とする請求項１〜４のいずれか一項に記載の非接触給電装置。
【請求項６】
前記電力補正回路は、前記一対の出力点のうち一方と前記給電側コイルとの間に電気的に接続されている
ことを特徴とする請求項１〜５のいずれか一項に記載の非接触給電装置。
【請求項７】
請求項１〜６のいずれか一項に記載の非接触給電装置と、
前記受電側コイルを有する非接触受電装置とを備え、
前記非接触受電装置は、前記非接触給電装置から非接触で前記出力電力が前記受電側コイルに供給されるように構成されている
ことを特徴とする非接触電力伝送システム。
【請求項８】
一対の入力点と一対の出力点との間に電気的に接続された複数の変換用スイッチ素子を有し、前記複数の変換用スイッチ素子のスイッチングにより、前記一対の入力点に印加される直流電圧を交流電圧に変換して前記一対の出力点から出力するインバータ回路と、
前記一対の出力点間に電気的に接続され、前記交流電圧が印加されることにより受電側コイルに非接触で出力電力を供給する給電側コイルと、
前記一対の出力点のうち少なくとも一方と前記給電側コイルとの間に電気的に接続され、調整用コンデンサおよび複数の調整用スイッチ素子を有し、前記複数の調整用スイッチ素子のスイッチングにより、前記調整用コンデンサの充放電を行う電力補正回路とを備え、前記インバータ回路は電圧位相に対して電流位相が遅れ位相になる遅相モードで動作する非接触給電装置に用いられるコンピュータを、
第１駆動信号にて前記複数の変換用スイッチ素子を制御し、第２駆動信号にて前記複数の調整用スイッチ素子を制御し、前記第１駆動信号に対する前記第２駆動信号の位相の遅れである第１位相差を調整することにより、前記出力電力の大きさを調整する制御部、
前記インバータ回路の出力電圧に対する前記給電側コイルに流れる電流の位相の遅れである第２位相差を用いて、前記第２駆動信号の１周期において前記調整用コンデンサが充電される時間と前記調整用コンデンサが放電される時間とが等しくなる第１位相差を電力制御開始角として取得する取得部として機能させ、
前記制御部は、前記電力制御開始角以下の範囲で前記第１位相差を調整することにより、前記出力電力の大きさを調整する
ことを特徴とするプログラム。
【請求項９】
一対の入力点と一対の出力点との間に電気的に接続された複数の変換用スイッチ素子を有し、前記複数の変換用スイッチ素子のスイッチングにより、前記一対の入力点に印加される直流電圧を交流電圧に変換して前記一対の出力点から出力するインバータ回路と、
前記一対の出力点間に電気的に接続され、前記交流電圧が印加されることにより受電側コイルに非接触で出力電力を供給する給電側コイルと、
前記一対の出力点のうち少なくとも一方と前記給電側コイルとの間に電気的に接続され、調整用コンデンサおよび複数の調整用スイッチ素子を有し、前記複数の調整用スイッチ素子のスイッチングにより、前記調整用コンデンサの充放電を行う電力補正回路とを備え、前記インバータ回路は電圧位相に対して電流位相が遅れ位相になる遅相モードで動作する非接触給電装置の制御方法であって、
第１駆動信号にて前記複数の変換用スイッチ素子を制御し、第２駆動信号にて前記複数の調整用スイッチ素子を制御し、前記第１駆動信号に対する前記第２駆動信号の位相の遅れである第１位相差を調整することにより、前記出力電力の大きさを調整する制御処理と、
前記インバータ回路の出力電圧に対する前記給電側コイルに流れる電流の位相の遅れである第２位相差を用いて、前記第２駆動信号の１周期において前記調整用コンデンサが充電される時間と前記調整用コンデンサが放電される時間とが等しくなる第１位相差を電力制御開始角として取得する取得処理とを含み、
前記制御処理は、前記電力制御開始角以下の範囲で前記第１位相差を調整することにより、前記出力電力の大きさを調整する
ことを特徴とする非接触給電装置の制御方法。
【発明の詳細な説明】
【技術分野】
【０００１】
本発明は、非接触給電装置、非接触電力伝送システム、プログラムおよび非接触給電装置の制御方法に関し、より詳細には、負荷に非接触で給電を行う非接触給電装置、非接触電力伝送システム、プログラムおよび非接触給電装置の制御方法に関する。
【背景技術】
【０００２】
従来、負荷へ電磁誘導を利用して非接触で電力を供給する非接触給電装置が提案されている（例えば特許文献１参照）。
【０００３】
特許文献１に記載の非接触給電装置は、磁界を発生させることで電力を供給する一次側コイル（給電コイル）を備えており、電気自動車などの移動体への給電に用いられる。電気自動車は非接触受電装置を備えている。非接触受電装置は、二次側コイル（受電コイル）および蓄電池を備えており、非接触給電装置の一次側コイルから二次側コイルに供給された電力を蓄電池に蓄積する。
【先行技術文献】
【特許文献】
【０００４】
【特許文献１】特開２０１３−２４３９２９号公報
【発明の概要】
【発明が解決しようとする課題】
【０００５】
ところで、上述したような非接触給電装置においては、非接触給電装置の一次側コイル（給電側コイル）と負荷（移動体）の二次側コイル（受電側コイル）との相対的な位置関係によって、一次側コイルと二次側コイルとの間の結合係数が変化する。そのため、一次側コイルと二次側コイルとの相対的な位置関係が変化した場合、非接触給電装置から出力される出力電力が低下し、出力電力が必要な電力に対して不足する可能性がある。
【０００６】
本発明は上記事由に鑑みてなされており、給電側コイルと受電側コイルとの相対的な位置関係が変化しても、必要な電力を短時間で確保しやすい非接触給電装置、非接触電力伝送システム、プログラムおよび非接触給電装置の制御方法を提供することを目的とする。
【課題を解決するための手段】
【０００７】
本発明の一態様に係る非接触給電装置は、インバータ回路と、給電側コイルと、電力補正回路と、制御回路とを備える。前記インバータ回路は、一対の入力点と一対の出力点との間に電気的に接続された複数の変換用スイッチ素子を有している。前記インバータ回路は、前記複数の変換用スイッチ素子のスイッチングにより、前記一対の入力点に印加される直流電圧を交流電圧に変換して前記一対の出力点から出力する。前記給電側コイルは、前記一対の出力点間に電気的に接続され、前記交流電圧が印加されることにより受電側コイルに非接触で出力電力を供給する。前記電力補正回路は、前記一対の出力点のうち少なくとも一方と前記給電側コイルとの間に電気的に接続され、調整用コンデンサおよび複数の調整用スイッチ素子を有している。前記電力補正回路は、前記複数の調整用スイッチ素子のスイッチングにより、前記調整用コンデンサの充放電を行う。前記制御回路は、第１駆動信号にて前記複数の変換用スイッチ素子を制御し、第２駆動信号にて前記複数の調整用スイッチ素子を制御する。前記インバータ回路は、電圧位相に対して電流位相が遅れ位相になる遅相モードで動作している。前記制御回路は、前記第１駆動信号に対する前記第２駆動信号の位相の遅れである第１位相差を調整することにより、前記出力電力の大きさを調整するように構成されている。前記制御回路は、第２位相差を用いて、前記第２駆動信号の１周期において前記調整用コンデンサが充電される時間と前記調整用コンデンサが放電される時間とが等しくなる第１位相差を電力制御開始角として取得する。前記制御回路は、前記電力制御開始角以下の範囲で前記第１位相差を調整することにより、前記出力電力の大きさを調整する。前記第２位相差は、前記インバータ回路の出力電圧に対する前記給電側コイルに流れる電流の位相の遅れである。
【０００８】
また、本発明の一態様に係る非接触電力伝送システムは、前記非接触給電装置と、前記受電側コイルを有する非接触受電装置とを備える。前記非接触受電装置は、前記非接触給電装置から非接触で前記出力電力が前記受電側コイルに供給されるように構成されている。
【０００９】
本発明の一態様に係るプログラムは、非接触給電装置に用いられるコンピュータを、制御部、取得部として機能させる。前記非接触給電装置は、インバータ回路と、給電側コイルと、電力補正回路とを備える。前記インバータ回路は、一対の入力点と一対の出力点との間に電気的に接続された複数の変換用スイッチ素子を有している。前記インバータ回路は、前記複数の変換用スイッチ素子のスイッチングにより、前記一対の入力点に印加される直流電圧を交流電圧に変換して前記一対の出力点から出力する。前記給電側コイルは、前記一対の出力点間に電気的に接続され、前記交流電圧が印加されることにより受電側コイルに非接触で出力電力を供給する。前記電力補正回路は、前記一対の出力点のうち少なくとも一方と前記給電側コイルとの間に電気的に接続され、調整用コンデンサおよび複数の調整用スイッチ素子を有している。前記電力補正回路は、前記複数の調整用スイッチ素子のスイッチングにより、前記調整用コンデンサの充放電を行う。前記インバータ回路は、電圧位相に対して電流位相が遅れ位相になる遅相モードで動作する。前記制御部は、第１駆動信号にて前記複数の変換用スイッチ素子を制御し、第２駆動信号にて前記複数の調整用スイッチ素子を制御する。前記制御部は、前記第１駆動信号に対する前記第２駆動信号の位相の遅れである第１位相差を調整することにより、前記出力電力の大きさを調整する。前記取得部は、第２位相差を用いて、前記第２駆動信号の１周期において前記調整用コンデンサが充電される時間と前記調整用コンデンサが放電される時間とが等しくなる第１位相差を電力制御開始角として取得する。前記制御部は、前記電力制御開始角以下の範囲で前記第１位相差を調整することにより、前記出力電力の大きさを調整する。前記第２位相差は、前記インバータ回路の出力電圧に対する前記給電側コイルに流れる電流の位相の遅れである。
【００１０】
本発明の一態様に係る非接触給電装置の制御方法は、制御処理と、取得処理とを含む。前記非接触給電装置は、インバータ回路と、給電側コイルと、電力補正回路とを備える。前記インバータ回路は、一対の入力点と一対の出力点との間に電気的に接続された複数の変換用スイッチ素子を有している。前記インバータ回路は、前記複数の変換用スイッチ素子のスイッチングにより、前記一対の入力点に印加される直流電圧を交流電圧に変換して前記一対の出力点から出力する。前記給電側コイルは、前記一対の出力点間に電気的に接続され、前記交流電圧が印加されることにより受電側コイルに非接触で出力電力を供給する。前記電力補正回路は、前記一対の出力点のうち少なくとも一方と前記給電側コイルとの間に電気的に接続され、調整用コンデンサおよび複数の調整用スイッチ素子を有している。前記電力補正回路は、前記複数の調整用スイッチ素子のスイッチングにより、前記調整用コンデンサの充放電を行う。前記インバータ回路は電圧位相に対して電流位相が遅れ位相になる遅相モードで動作する。前記制御処理は、第１駆動信号にて前記複数の変換用スイッチ素子を制御し、第２駆動信号にて前記複数の調整用スイッチ素子を制御する。前記制御処理は、前記第１駆動信号に対する前記第２駆動信号の位相の遅れである第１位相差を調整することにより、前記出力電力の大きさを調整する。前記取得処理は、前記インバータ回路の出力電圧に対する前記給電側コイルに流れる電流の位相の遅れである第２位相差を用いて、前記第２駆動信号の１周期において前記調整用コンデンサが充電される時間と前記調整用コンデンサが放電される時間とが等しくなる第１位相差を電力制御開始角として取得する。前記制御処理は、前記電力制御開始角以下の範囲で前記第１位相差を調整することにより、前記出力電力の大きさを調整する。前記第２位相差は、前記インバータ回路の出力電圧に対する前記給電側コイルに流れる電流の位相の遅れである。
【発明の効果】
【００１１】
本発明によると、給電側コイルと受電側コイルとの相対的な位置関係が変化しても、必要な電力を短時間で確保しやすくなる。
【図面の簡単な説明】
【００１２】
【図１】図１は、本発明の一実施形態に係る非接触電力伝送システムを示す回路図である。
【図２】図２は、本発明の一実施形態に係る非接触給電装置の第１駆動信号および第２駆動信号を示す波形図である。
【図３】図３は、同上の非接触給電装置における共振特性の例を示すグラフである。
【図４】図４Ａおよび図４Ｂは、同上の非接触給電装置における共振特性の例を示すグラフである。
【図５】図５は、同上の非接触給電装置における初期遅相の場合の位相差特性の例を示すグラフである。
【図６】図６Ａは、同上の非接触給電装置における電力補正回路の第１充電モードを示す説明図である。図６Ｂは、同上の非接触給電装置における電力補正回路の第１放電モードを示す説明図である。図６Ｃは、同上の非接触給電装置における電力補正回路の第２充電モードを示す説明図である。図６Ｄは、同上の非接触給電装置における電力補正回路の第２放電モードを示す説明図である。
【図７】図７は、同上の非接触給電装置における電圧電流位相差が９０度である場合の第１駆動信号、一次側電流、および第２駆動信号の波形図である。
【図８】図８は、同上の非接触給電装置における電圧電流位相差が４５度である場合の第１駆動信号、一次側電流、および第２駆動信号の波形図である。
【図９】図９は、同上の非接触給電装置における出力電力制御を示すフローチャートである。
【発明を実施するための形態】
【００１３】
（実施形態）
本実施形態の非接触給電装置は、負荷に対し非接触で給電を行う。非接触給電装置は、非接触給電装置が有する一次側コイル（給電側コイル）と負荷が有する二次側コイル（受電側コイル）とが電磁界結合（電界結合と磁界結合との少なくとも一方）された状態で、一次側コイルから二次側コイルへ電力の伝達を行う。これにより、非接触給電装置は、負荷への給電を行う。この種の非接触給電装置は、負荷に備わっている非接触受電装置と共に非接触電力伝送システムを構成する。
【００１４】
＜非接触電力伝送システムの概要＞
まず、非接触電力伝送システムの概要について、図１を参照して説明する。
【００１５】
本実施形態の非接触電力伝送システム１は、一次側コイルＬ１を有する非接触給電装置２と、二次側コイルＬ２を有する非接触受電装置３とを備えている。非接触受電装置３は、非接触給電装置２から非接触で出力電力が供給されるように構成されている。ここで、出力電力は、非接触給電装置２から出力される電力であって、一次側コイルＬ１に交流電圧が印加されることにより一次側コイルＬ１から二次側コイルＬ２に非接触で供給される電力である。本実施形態では、一次側コイルＬ１および二次側コイルＬ２は、平面上において導線が渦巻き状に巻かれたスパイラル型のコイルである。
【００１６】
本実施形態では、負荷としての電動車両に非接触受電装置３が搭載されている場合を例に説明する。電動車両は、蓄電池４を備え、蓄電池４に蓄積された電気エネルギーを用いて走行する車両である。電動車両に搭載された非接触受電装置３は、蓄電池４の充電装置として用いられる。なお、ここでは電動機で生じる駆動力によって走行する電気自動車を電動車両の例として説明するが、電動車両は電気自動車に限らず、例えば二輪車（電動バイク）、電動自転車などであってもよい。
【００１７】
非接触給電装置２は、商用電源（系統電源）や、太陽光発電設備等の発電設備から供給される電力を、非接触受電装置３に供給することで、電動車両の蓄電池４を充電する。非接触給電装置２に供給される電力は、交流電力と直流電力とのいずれであってもよいが、本実施形態では、非接触給電装置２が直流電源５に電気的に接続され、非接触給電装置２に直流電力が供給される場合を例に説明する。なお、非接触給電装置２に交流電力が供給される場合、非接触給電装置２には交流を直流に変換するＡＣ／ＤＣコンバータが設けられる。
【００１８】
非接触給電装置２は、例えば商業施設や公共施設、あるいは集合住宅などの駐車場に設置される。非接触給電装置２は、少なくとも一次側コイルＬ１が床あるいは地面に設置されており、一次側コイルＬ１上に駐車された電動車両の非接触受電装置３に対して非接触で電力を供給する。このとき、非接触受電装置３の二次側コイルＬ２は、一次側コイルＬ１の上方に位置することで、一次側コイルＬ１と電磁界結合（電界結合と磁界結合との少なくとも一方）されている。そのため、一次側コイルＬ１からの出力電力が二次側コイルＬ２へ伝達（送電）されることになる。なお、一次側コイルＬ１は、床あるいは地面から露出するように設置される構成に限らず、床あるいは地面に埋め込まれるように設置されていてもよい。
【００１９】
非接触受電装置３は、二次側コイルＬ２と、一対の二次側コンデンサＣ２１，Ｃ２２と、整流回路３１と、平滑コンデンサＣ２とを有している。整流回路３１は、一対の交流入力点と、一対の直流出力点とを有するダイオードブリッジからなる。二次側コイルＬ２の一端は、第１の二次側コンデンサＣ２１を介して整流回路３１の一方の交流入力点に電気的に接続され、二次側コイルＬ２の他端は、第２の二次側コンデンサＣ２２を介して整流回路３１の他方の交流入力点に電気的に接続されている。平滑コンデンサＣ２は、整流回路３１の一対の直流出力点間に電気的に接続されている。さらに、平滑コンデンサＣ２の両端は一対の出力端子Ｔ２１，Ｔ２２に電気的に接続されている。一対の出力端子Ｔ２１，Ｔ２２には、蓄電池４が電気的に接続されている。
【００２０】
これにより、非接触受電装置３は、非接触給電装置２の一次側コイルＬ１からの出力電力を二次側コイルＬ２で受けることで二次側コイルＬ２の両端間に発生する交流電圧を、整流回路３１にて整流し、さらに平滑コンデンサＣ２にて平滑して直流電圧を得る。非接触受電装置３は、このようにして得られる直流電圧を、一対の出力端子Ｔ２１，Ｔ２２から蓄電池４に出力（印加）する。
【００２１】
ここで、本実施形態においては、非接触給電装置２は、一次側コイルＬ１と共に共振回路（以下、「一次側共振回路」という）を構成する電力補正回路２２、および一対の一次側コンデンサＣ１１，Ｃ１２を備えている。また、非接触受電装置３では、二次側コイルＬ２は一対の二次側コンデンサＣ２１，Ｃ２２と共に共振回路（以下、「二次側共振回路」という）を構成している。そして、本実施形態の非接触電力伝送システム１は、一次側共振回路と二次側共振回路とを共鳴させることにより電力の伝送を行う磁界共鳴方式（磁気共鳴方式）を採用している。すなわち、非接触電力伝送システム１は、一次側共振回路と二次側共振回路とで共振周波数を一致させることにより、一次側コイルＬ１と二次側コイルＬ２とが比較的離れた状態でも、非接触給電装置２の出力電力を高効率で伝送可能である。
【００２２】
＜非接触給電装置の概要＞
次に、非接触給電装置の概要について、図１を参照して説明する。
【００２３】
本実施形態の非接触給電装置２は、一次側コイルＬ１に加えて、インバータ回路２１と、電力補正回路２２と、制御回路２３とをさらに備えている。
【００２４】
インバータ回路２１は、一対の入力点２１１，２１２と一対の出力点２１３，２１４との間に電気的に接続された複数（ここでは４つ）の変換用スイッチ素子Ｑ１〜Ｑ４を有している。インバータ回路２１は、複数の変換用スイッチ素子Ｑ１〜Ｑ４のスイッチングにより、一対の入力点２１１，２１２に印加される直流電圧を交流電圧に変換して一対の出力点２１３，２１４から出力する。
【００２５】
一次側コイルＬ１は、一対の出力点２１３，２１４間に電気的に接続され、交流電圧が印加されることにより二次側コイルＬ２に非接触で出力電力を供給する。
【００２６】
電力補正回路２２は、出力点２１３と一次側コイルＬ１との間に電気的に接続され、調整用コンデンサＣ１および複数（ここでは４つ）の調整用スイッチ素子Ｑ５〜Ｑ８を有している。電力補正回路２２は、複数の調整用スイッチ素子Ｑ５〜Ｑ８のスイッチングにより、調整用コンデンサＣ１の充電時間および放電時間を調整する。そして、電力補正回路２２は、調整用コンデンサＣ１の充電時間および放電時間を調整することによって、インバータ回路２１の出力電圧に対する一次側コイルＬ１に流れる電流の位相差（電圧電流位相差であり、以降、ＶＩ位相差という）φを調整することができる。これにより、一次共振回路から二次共振回路へ伝達される出力電力の大きさが調整させる。なお、調整用コンデンサＣ１の容量は、一次側コンデンサＣ１１，Ｃ１２の容量よりも十分に大きい。例えば、調整用コンデンサＣ１はμＦオーダーの容量に、一次側コンデンサＣ１１，Ｃ１２はｎＦオーダーの容量に設定される。
【００２７】
制御回路２３は、「周波数制御」と「位相差制御」との２つの方法で、出力電力の大きさを調整するように構成されている。制御回路２３は、第１駆動信号にて複数の変換用スイッチ素子Ｑ１〜Ｑ４を制御し、第２駆動信号にて複数の調整用スイッチ素子Ｑ５〜Ｑ８を制御する。
【００２８】
制御回路２３は、第１駆動信号の周波数を調整することで、変換用スイッチ素子Ｑ１〜Ｑ４のスイッチング周波数を制御する周波数制御を行う。
【００２９】
また、制御回路２３は、第１駆動信号に対する第２駆動信号の位相の遅れである駆動位相差θを調整することで、位相差制御を行う。具体的には、制御回路２３は、取得部２３１を有している。取得部２３１は、電力補正回路２２を無効としたときのインバータ回路２１が遅相モードである場合に、インバータ回路２１のＶＩ位相差φに応じて電力制御開始角を取得（算出）する。ここで、電力制御開始角とは、第２駆動信号の１周期において調整用コンデンサＣ１が充電される時間と調整用コンデンサＣ１が放電される時間とが等しくなる駆動位相差θのことである。別の言い方をすると、電力制御開始角とは、インバータ回路２１が遅相モードとなる駆動位相差θの最大値から駆動位相差θを徐々に小さくした場合に、調整用コンデンサＣ１に電荷が溜まり始める角度である。なお、電力制御開始角は、予め定められた規定範囲内の値である。また、「遅相モード」とは、電圧位相に対して電流位相が遅れ位相（遅相）になるモードである。また、駆動位相差θが第１位相差に、ＶＩ位相差φが第２位相差に、それぞれ相当する。
【００３０】
制御回路２３は、電力制御開始角から電力制御開始角より小さい所定値（所定範囲の下限値）までの範囲、つまり電力制御開始角以下で駆動位相差θを調整することにより、出力電力の大きさを調整する。
【００３１】
なお、本実施形態でいう「入力点」や「出力点」は、電線等を接続するための部品（端子）として実体を有しなくてもよく、例えば電子部品のリードや、回路基板に含まれる導体の一部であってもよい。
【００３２】
＜回路構成＞
次に、本実施形態の非接触給電装置２の具体的な回路構成について、図１を参照して説明する。
【００３３】
本実施形態の非接触給電装置２は、一対の入力端子Ｔ１１，Ｔ１２を備えている。一対の入力端子Ｔ１１，Ｔ１２には、直流電源５が電気的に接続されている。
【００３４】
インバータ回路２１は、４つの変換用スイッチ素子Ｑ１〜Ｑ４がフルブリッジ接続されたフルブリッジインバータ回路である。つまり、インバータ回路２１は、一対の入力点２１１，２１２間に電気的に並列に接続された第１アームと第２アームとを有し、これら第１アームおよび第２アームが４つの変換用スイッチ素子Ｑ１〜Ｑ４にて構成されている。第１アームは（第１の）変換用スイッチ素子Ｑ１と（第２の）変換用スイッチ素子Ｑ２との直列回路からなり、第２アームは（第３の）変換用スイッチ素子Ｑ３と（第４の）変換用スイッチ素子Ｑ４との直列回路からなる。第１アームの中点（変換用スイッチ素子Ｑ１，Ｑ２の接続点）および第２アームの中点（変換用スイッチ素子Ｑ３，Ｑ４の接続点）は、一対の出力点２１３，２１４となる。本実施形態では、４つの変換用スイッチ素子Ｑ１〜Ｑ４は、それぞれｎチャネルのデプレション型ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。
【００３５】
さらに詳しく説明すると、一対の入力点２１１，２１２は、第１の入力点２１１が直流電源５の正極側となり、第２の入力点２１２が直流電源５の負極側となるように、一対の入力端子Ｔ１１，Ｔ１２に電気的に接続されている。第１の入力点２１１には、変換用スイッチ素子Ｑ１，Ｑ３のドレインが電気的に接続されている。また、第２の入力点２１２には、変換用スイッチ素子Ｑ２，Ｑ４のソースが電気的に接続されている。そして、変換用スイッチ素子Ｑ１のソースと変換用スイッチ素子Ｑ２のドレインとの接続点が、インバータ回路２１の第１の出力点２１３となる。また、変換用スイッチ素子Ｑ３のソースと変換用スイッチ素子Ｑ４のドレインとの接続点が、インバータ回路２１の第２の出力点２１４となる。
【００３６】
４つの変換用スイッチ素子Ｑ１〜Ｑ４の各々のドレインおよびソース間には、４つのダイオードＤ１〜Ｄ４が４つの変換用スイッチ素子Ｑ１〜Ｑ４と一対一に対応するように電気的に接続されている。各ダイオードＤ１〜Ｄ４は、各変換用スイッチ素子Ｑ１〜Ｑ４のドレイン側をカソードとする向きで接続されている。ここでは、各ダイオードＤ１〜Ｄ４は各変換用スイッチ素子Ｑ１〜Ｑ４の寄生ダイオードである。
【００３７】
電力補正回路２２は、調整用コンデンサＣ１と、４つの調整用スイッチ素子Ｑ５〜Ｑ８とを有している。電力補正回路２２は、インバータ回路２１の一対の出力点２１３，２１４間において電気的に並列に接続された第３アームと第４アームとを有し、これら第３アームおよび第４アームが４つの調整用スイッチ素子Ｑ５〜Ｑ８にて構成されている。第３アームは（第１の）調整用スイッチ素子Ｑ５と（第３の）調整用スイッチ素子Ｑ７との直列回路からなり、第４アームは（第２の）調整用スイッチ素子Ｑ６と（第４の）調整用スイッチ素子Ｑ８との直列回路からなる。第３アームの中点（調整用スイッチ素子Ｑ５，Ｑ７の接続点）と、第４アームの中点（調整用スイッチ素子Ｑ６，Ｑ８の接続点）との間には、調整用コンデンサＣ１が電気的に接続されている。本実施形態では、４つの調整用スイッチ素子Ｑ５〜Ｑ８は、それぞれｎチャネルのデプレション型ＭＯＳＦＥＴである。
【００３８】
さらに詳しく説明すると、インバータ回路２１の第１の出力点２１３には、第１の一次側コンデンサＣ１１を介して、調整用スイッチ素子Ｑ５のソースおよび調整用スイッチ素子Ｑ６のドレインが電気的に接続されている。また、第２の出力点２１４には、第２の一次側コンデンサＣ１２および一次側コイルＬ１を介して、調整用スイッチ素子Ｑ７のソースおよび調整用スイッチ素子Ｑ８のドレインが電気的に接続されている。そして、調整用コンデンサＣ１の一端は、調整用スイッチ素子Ｑ５のドレインと調整用スイッチ素子Ｑ７のドレインとの接続点に電気的に接続されている。調整用コンデンサＣ１の他端は、調整用スイッチ素子Ｑ６のソースと調整用スイッチ素子Ｑ８のソースとの接続点に電気的に接続されている。
【００３９】
４つの調整用スイッチ素子Ｑ５〜Ｑ８の各々のドレインおよびソース間には、４つのダイオードＤ５〜Ｄ８が４つの調整用スイッチ素子Ｑ５〜Ｑ８と一対一に対応するように電気的に接続されている。各ダイオードＤ５〜Ｄ８は、各調整用スイッチ素子Ｑ５〜Ｑ８のドレイン側をカソードとする向きで接続されている。ここでは、各ダイオードＤ５〜Ｄ８は各調整用スイッチ素子Ｑ５〜Ｑ８の寄生ダイオードである。
【００４０】
制御回路２３は、例えばマイコン（マイクロコンピュータ）を主構成として備えている。マイコンは、マイコンのメモリに記録されているプログラムをＣＰＵ（Ｃｅｎｔｒａｌ  Ｐｒｏｃｅｓｓｉｎｇ  Ｕｎｉｔ）で実行することにより、制御回路（制御部）２３としての機能を実現する。プログラムは、予めマイコンのメモリに記録されていてもよいし、メモリカードのような記録媒体に記録されて提供されたり、電気通信回線を通して提供されたりしてもよい。本実施形態では、制御回路２３は、取得部２３１に加えて、制御部２３２を有している。言い換えれば、上記プログラムは、非接触給電装置２に用いられるコンピュータ（ここではマイコン）を、取得部２３１、制御部２３２として機能させるためのプログラムである。
【００４１】
制御部２３２は、インバータ回路２１の各変換用スイッチ素子Ｑ１〜Ｑ４のオンオフを切り替えるための第１駆動信号Ｇ１〜Ｇ４を出力する。４つの第１駆動信号Ｇ１〜Ｇ４は、４つの変換用スイッチ素子Ｑ１〜Ｑ４に一対一に対応する。ここでは、制御部２３２は、第１駆動信号Ｇ１〜Ｇ４を、それぞれ対応する変換用スイッチ素子Ｑ１〜Ｑ４のゲートに出力することで、対応する変換用スイッチ素子Ｑ１〜Ｑ４の制御を行っている。
【００４２】
また、制御部２３２は、電力補正回路２２の４つの調整用スイッチ素子Ｑ５〜Ｑ８の各々のオンオフを切り替えるための第２駆動信号Ｇ５〜Ｇ８を出力する。４つの第２駆動信号Ｇ５〜Ｇ８は、４つの調整用スイッチ素子Ｑ５〜Ｑ８に一対一に対応する。ここでは、制御部２３２は、第２駆動信号Ｇ５〜Ｇ８を、それぞれ対応する調整用スイッチ素子Ｑ５〜Ｑ８のゲートに出力することで、対応する調整用スイッチ素子Ｑ５〜Ｑ８の制御を行っている。
【００４３】
なお、本実施形態では、制御回路２３の制御部２３２が、変換用スイッチ素子Ｑ１〜Ｑ４および調整用スイッチ素子Ｑ５〜Ｑ８の各々のゲートに対し、第１駆動信号Ｇ１〜Ｇ４および第２駆動信号Ｇ５〜Ｇ８を直接出力しているが、この構成に限らない。例えば、非接触給電装置２は駆動回路をさらに備え、駆動回路が、制御回路２３の制御部２３２からの第１駆動信号Ｇ１〜Ｇ４および第２駆動信号Ｇ５〜Ｇ８を受けて、変換用スイッチ素子Ｑ１〜Ｑ４および調整用スイッチ素子Ｑ５〜Ｑ８を駆動してもよい。
【００４４】
一次側コイルＬ１は、インバータ回路２１の一対の出力点２１３，２１４の間において、一対の一次側コンデンサＣ１１，Ｃ１２および電力補正回路２２と電気的に直列に接続されている。一次側コイルＬ１の一端は、電力補正回路２２および第１の一次側コンデンサＣ１１を介して、インバータ回路２１の第１の出力点２１３に電気的に接続されている。一次側コイルＬ１の他端は、第２の一次側コンデンサＣ１２を介して、インバータ回路２１の第２の出力点２１４に電気的に接続されている。
【００４５】
本実施形態の非接触給電装置２は、一次側コイルＬ１に流れる電流の大きさを計測値として計測する計測部２４をさらに備えている。一次側コイルＬ１と第２の一次側コンデンサＣ１２との間には、例えば変流器からなる電流センサ２５が設けられている。計測部２４は、電流センサ２５の出力を受けて、一次側コイルＬ１に流れる電流の大きさを、計測値として計測する。計測部２４は、計測値を制御回路２３に出力するように構成されている。制御回路２３は、計測部２４で計測された計測値を用いて、一次側コイルＬ１から出力される出力電力の大きさ、一次側コイルＬ１に流れる電流の位相を監視する。
【００４６】
＜基本動作＞
次に、本実施形態の非接触給電装置２の基本動作について、図１および図２を参照して説明する。図２では、横軸を時間軸として、上から順に第１駆動信号「Ｇ１，Ｇ４」、「Ｇ２，Ｇ３」、第２駆動信号「Ｇ５，Ｇ８」、「Ｇ６，Ｇ７」の信号波形を表している。なお、図２中の「オン」、「オフ」は、対応するスイッチ素子（変換用スイッチ素子、調整用スイッチ素子）のオン、オフを表している。
【００４７】
（１）電力補正回路なし
ここではまず、電力補正回路２２がない場合、つまり一対の出力点２１３，２１４間に、一次側コイルＬ１および一対の一次側コンデンサＣ１１，Ｃ１２のみが電気的に接続されている場合を想定し、非接触給電装置２の動作を説明する。このときの非接触給電装置２の動作は、図１の回路構成において、電力補正回路２２が動作を停止している場合、つまり電力補正回路２２の全ての調整用スイッチ素子Ｑ５〜Ｑ８がオンに固定されている場合の非接触給電装置２の動作と等価である。また、電力補正回路２２が動作を停止している場合とは、電力補正回路２２を無効とした場合であるといえる。
【００４８】
制御回路２３の制御部２３２は、図２に示すように、変換用スイッチ素子Ｑ１，Ｑ４に対応する第１駆動信号Ｇ１，Ｇ４と、変換用スイッチ素子Ｑ２，Ｑ３に対応する第１駆動信号Ｇ２，Ｇ３として、互いに逆位相（位相差１８０度）の信号を発生する。これにより、インバータ回路２１においては、第１の変換用スイッチ素子Ｑ１および第４の変換用スイッチ素子Ｑ４のペアと、第２の変換用スイッチ素子Ｑ２および第３の変換用スイッチ素子Ｑ３のペアとが交互にオンするように制御される。
【００４９】
その結果、インバータ回路２１の一対の出力点２１３，２１４間には、周期的に極性（正・負）が反転する電圧（交流電圧）が発生する。要するに、インバータ回路２１は、複数の変換用スイッチ素子Ｑ１〜Ｑ４のスイッチングにより、一対の入力点２１１，２１２に印加される直流電圧を交流電圧に変換して一対の出力点２１３，２１４から出力する。以下では、インバータ回路２１の出力電圧について、一対の出力点２１３，２１４のうちの第１の出力点２１３が高電位となる電圧を「正極性」といい、第２の出力点２１４が高電位となる電圧を「負極性」という。つまり、インバータ回路２１の出力電圧は、変換用スイッチ素子Ｑ１，Ｑ４がオンの状態で正極性となり、変換用スイッチ素子Ｑ２，Ｑ３がオンの状態で負極性となる。
【００５０】
このように、インバータ回路２１が一対の出力点２１３，２１４から交流電圧を出力することで、一対の出力点２１３，２１４間に電気的に接続された一次側コイルＬ１に交流電流が流れ、一次側コイルＬ１が磁界を発生する。これにより、非接触給電装置２は、非接触受電装置３の二次側コイルＬ２に対し、一次側コイルＬ１から非接触で出力電力を供給することができる。
【００５１】
ところで、電力補正回路２２がない場合、本実施形態の非接触給電装置２では、一次側コイルＬ１は一対の一次側コンデンサＣ１１，Ｃ１２と共に一次側共振回路を構成する。そのため、一次側コイルＬ１から出力される出力電力の大きさは、インバータ回路２１の動作周波数（つまり第１駆動信号Ｑ１〜Ｑ４の周波数）に応じて変化し、インバータ回路２１の動作周波数が一次側共振回路の共振周波数に一致するときにピークに達する。
【００５２】
ここにおいて、一次側コイルＬ１と二次側コイルＬ２との相対的な位置関係が変化して、一次側コイルＬ１と二次側コイルＬ２との間の結合係数が変化すると、非接触給電装置２の出力電力の周波数特性（以下、「共振特性」という）が変化する。図３は、一次側コイルＬ１と二次側コイルＬ２との相対的な位置関係が変化した場合の、非接触給電装置２の共振特性の変化を示している。なお、図３では、横軸を周波数（インバータ回路２１の動作周波数）、縦軸を非接触給電装置２の出力電力として、一次側コイルＬ１と二次側コイルＬ２との相対的な位置関係が異なる場合の非接触給電装置２の共振特性を「Ｘ１」、「Ｘ２」で示している。
【００５３】
ここで、図３に示すように、インバータ回路２１の動作周波数として使用可能な周波数帯域（以下、「許可周波数帯Ｆ１」という）が制限されていると仮定する。許可周波数帯Ｆ１は、例えば電波法などの法律により規定される。この場合、許可周波数帯Ｆ１の下限値ｆｍｉｎ未満、および上限値ｆｍａｘを超えるような周波数については、インバータ回路２１の動作周波数として使用することはできない。こうした場合において、非接触給電装置２の共振特性が、例えば図３に「Ｘ１」で示すような状態にあれば、インバータ回路２１の動作周波数をどう調整しても、非接触給電装置２の出力電力が必要な大きさ（以下、「目標値」という）とならない可能性がある。
【００５４】
例えば図４Ａに示すように、一次側共振回路の共振周波数ｆｒ０が許可周波数帯Ｆ１から外れていると、非接触給電装置２の出力電力の大きさがピークに届かず、結果的に、目標値Ｐ１に対して出力電力が不足する可能性がある。また、例えば図４Ｂに示すように、一次側共振回路の共振周波数ｆｒ０が許可周波数帯Ｆ１内にある場合でも、非接触給電装置２の出力電力のピークが目標値Ｐ１に届かず、結果的に、目標値Ｐ１に対して出力電力が不足する可能性がある。つまり、図４Ａや図４Ｂの例では、ハッチング（斜線）部分の電力が目標値Ｐ１に対して不足することになる。
【００５５】
そこで、本実施形態の非接触給電装置２は、電力補正回路２２を備えることにより、調整用コンデンサＣ１の充電時間および放電時間を調整して、目標値Ｐ１を満たすように出力電力の大きさを補正（調整）する機能を有している。負荷は、蓄電池４の充電状態に応じて目標値の変更の有無を定期的に判断する。負荷は、変更すべきと判断すると、蓄電池４の充電状態に応じた目標値を非接触給電装置２へ出力する。
【００５６】
（２）電力補正回路あり
次に、図１に示すように電力補正回路２２がある場合、つまり一対の出力点２１３，２１４間に、一次側コイルＬ１、一対の一次側コンデンサＣ１１，Ｃ１２、および電力補正回路２２が電気的に接続されている場合における、非接触給電装置２の動作を説明する。
【００５７】
制御回路２３の制御部２３２は、図２に示すように、調整用スイッチ素子Ｑ６，Ｑ７に対応する第２駆動信号Ｇ６，Ｇ７と、調整用スイッチ素子Ｑ５，Ｑ８に対応する第２駆動信号Ｇ５，Ｇ８として、互いに逆位相（位相差１８０度）の信号を発生する。これにより、電力補正回路２２においては、第２の調整用スイッチ素子Ｑ６および第３の調整用スイッチ素子Ｑ７のペアと、第１の調整用スイッチ素子Ｑ５および第４の調整用スイッチ素子Ｑ８のペアとが交互にオンするように制御される。本実施形態では、制御回路２３の制御部２３２は、位相制御の実行時において、第１駆動信号Ｇ１〜Ｇ４および第２駆動信号Ｇ５〜Ｇ８との周波数を同一周波数としている。
【００５８】
そして、本実施形態の非接触給電装置２では、電力補正回路２２が調整用コンデンサＣ１の充電時間および放電時間を調整することで、インバータ回路２１のＶＩ位相差φを調整することができる。その結果、非接触給電装置２の出力電力が目標値Ｐ１に対して不足するような場合、電力補正回路２２にて、目標値Ｐ１を満たすように出力電力の大きさを調整（補正）することが可能である。
【００５９】
ところで、本実施形態では、上述したように、変換用スイッチ素子Ｑ１，Ｑ４に対応する第１駆動信号Ｇ１，Ｇ４と、変換用スイッチ素子Ｑ２，Ｑ３に対応する第１駆動信号Ｇ２，Ｇ３とは互いに逆位相（位相差１８０度）の信号になる。同様に、調整用スイッチ素子Ｑ６，Ｑ７に対応する第２駆動信号Ｇ６，Ｇ７と、調整用スイッチ素子Ｑ５，Ｑ８に対応する第２駆動信号Ｇ５，Ｇ８とは互いに逆位相（位相差１８０度）の信号になる。
【００６０】
ここにおいて、本実施形態でいう第１駆動信号と第２駆動信号との駆動位相差θは、第１駆動信号Ｇ１，Ｇ４に対する第２駆動信号Ｇ６，Ｇ７の位相の遅れ、あるいは第１駆動信号Ｇ２，Ｇ３に対する第２駆動信号Ｇ５，Ｇ８の位相の遅れである（図２参照）。つまり、第１駆動信号Ｇ１，Ｇ４に対する第２駆動信号Ｇ６，Ｇ７の位相の遅れと、第１駆動信号Ｇ１，Ｇ４に対する第２駆動信号Ｇ５，Ｇ８の位相の遅れとでは１８０度の開きがあるため、いずれの位相の遅れを駆動位相差θとするかで駆動位相差θの値が異なる。そこで、本実施形態では、第１駆動信号Ｇ１，Ｇ４に対する第２駆動信号Ｇ６，Ｇ７の位相の遅れ、あるいは第１駆動信号Ｇ２，Ｇ３に対する第２駆動信号Ｇ５，Ｇ８の位相の遅れを駆動位相差θと定義する。なお、上述したように、駆動位相差θが第１位相差に相当する。
【００６１】
＜遅相モード＞
次に、遅相モードについて説明する。遅相モードとは、インバータ回路２１の出力において、電圧位相に対して電流位相が遅れ位相（遅相）になるモードである。
【００６２】
（１）電力補正回路なし
ここではまず、上記「基本動作」の欄と同様に、電力補正回路２２がない場合、つまり一対の出力点２１３，２１４間に、一次側コイルＬ１および一対の一次側コンデンサＣ１１，Ｃ１２のみが電気的に接続されている場合について説明する。
【００６３】
この場合、インバータ回路２１は、例えばインバータ回路２１の動作周波数と一次側共振回路の共振周波数との関係に応じて遅相モードで動作する。
【００６４】
遅相モードは、インバータ回路２１の出力電流（一次側コイルＬ１を流れる電流）の位相が、インバータ回路２１の出力電圧の位相よりも遅れた状態で、インバータ回路２１が動作するモードである。つまり、遅相モードでは、電圧位相に対して電流位相が遅れ位相（遅相）になる。遅相モードでは、インバータ回路２１のスイッチング動作はソフトスイッチングになる。したがって、遅相モードでは、変換用スイッチ素子Ｑ１〜Ｑ４のスイッチング損失を低減でき、また、変換用スイッチ素子Ｑ１〜Ｑ４にストレスが加わりにくい。一方、インバータ回路２１の出力電流の位相が、インバータ回路２１の出力電圧の位相よりも進んだ状態でインバータ回路２１が動作する進相モードでは、変換用スイッチ素子Ｑ１〜Ｑ４のスイッチング損失が増大しやすい。また、進相モードでは、変換用スイッチ素子Ｑ１〜Ｑ４にストレスが加わりやすい。そのため、インバータ回路２１は、進相モードよりも遅相モードで動作することが好ましい。本実施形態では、インバータ回路２１は、遅相モードで動作するよう制御されている。このとき、ＶＩ位相差φは、０度〜９０度の範囲内の値となる。なお、上述したように、ＶＩ位相差φが第１位相差に相当する。
【００６５】
（２）電力補正回路あり
次に、電力補正回路２２がある場合、つまり一対の出力点２１３，２１４間に、一次側コイルＬ１、一対の一次側コンデンサＣ１１，Ｃ１２、および電力補正回路２２が電気的に接続されている場合について説明する。
【００６６】
電力補正回路２２は、インバータ回路２１と同様に、進相モードと遅相モードとのいずれかの動作モードで動作することが可能である。しかしながら、電力補正回路２２も、進相モードでなく遅相モードで動作することが好ましい。そこで、本実施形態では、電力補正回路２２は、インバータ回路２１と同様に、遅相モードで動作するように構成される。
【００６７】
図５は、電力補正回路２２がない状態でインバータ回路２１が遅相モードにある場合の、非接触給電装置２の出力電力の駆動位相差θに対する特性（位相差特性）を示している。図５では、横軸を第１駆動信号Ｇ１〜Ｇ４と第２駆動信号Ｇ５〜Ｇ８との駆動位相差θ、縦軸を非接触給電装置２の出力電力とする。
【００６８】
一方、電力補正回路２２がない状態でインバータ回路２１が遅相モード（以下、「初期遅相」という）にある場合においては、非接触給電装置２の出力電力は、例えば図５に示すように駆動位相差θに応じて変化する。図５の例では、非接触給電装置２の出力電力は、駆動位相差θが２７０度のときに極大かつ最大となり、駆動位相差θが１８０度のときに極小かつ最小となるように駆動位相差θによって変化する。初期遅相の場合に、インバータ回路２１と電力補正回路２２とのいずれもが遅相モードで動作するのは、駆動位相差θが０度〜９０度、２７０度〜３６０度である。つまり、図５に示す第１区分Ｚ１〜第４区分Ｚ４のうち、第１区分Ｚ１、および第４区分Ｚ４の２区分である。図５に示す第１区分Ｚ１では、駆動位相差θが変化しても出力電力はほとんど変化しない。そこで、本実施形態では、第４区分Ｚ４の範囲、つまり２７０度〜３６０度の範囲を規定範囲とする。
【００６９】
＜出力電力制御＞
次に、本実施形態の非接触給電装置２において、出力電力の大きさを調整する「出力電力制御」の動作について説明する。
【００７０】
（１）周波数制御および位相差制御
本実施形態では、制御回路２３の制御部２３２は、第１駆動信号Ｇ１〜Ｇ４および第２駆動信号Ｇ５〜Ｇ８の周波数を調整する「周波数制御」と、駆動位相差θを調整する「位相差制御」との２つの方法で、出力電力の大きさを調整するように構成されている。
【００７１】
本実施形態では、制御回路２３の制御部２３２は、まず第１駆動信号Ｇ１〜Ｇ４の周波数を調整することにより出力電力の大きさを調整する周波数制御を行う。
【００７２】
周波数制御では、制御部２３２は、第１駆動信号Ｇ１〜Ｇ４の周波数を調整することにより出力電力の大きさを調整する。つまり、上記「基本動作」の「（１）電力補正回路なし」の欄で説明したように、一次側コイルＬ１から出力される出力電力の大きさは、インバータ回路２１の動作周波数（つまり第１駆動信号Ｑ１〜Ｑ４の周波数）に応じて変化する（図３参照）。そのため、周波数制御では、制御回路２３の制御部２３２は、第１駆動信号Ｇ１〜Ｇ４の周波数を調整することで、インバータ回路２１の動作周波数を調整し、出力電力の大きさを調整する。言い換えると、制御部２３２は、周波数制御において、ＶＩ位相差φを制御して出力電力の大きさを調整することができる。この場合、電力補正回路２２は、無効状態（停止状態）となっている。
【００７３】
ここで、インバータ回路２１の動作周波数として使用可能な周波数帯域（許可周波数帯Ｆ１）が制限されている場合には、周波数制御で調整可能な周波数は、この許可周波数帯Ｆ１内に限定される。
【００７４】
そして、周波数制御にて調整後の出力電力の大きさが所定の目標値未満である場合に、制御回路２３は、以下に説明する位相差制御を行う。つまり、周波数制御だけでは目標値に対して出力電力が不足する場合には、制御回路２３は位相差制御で不足分を補う。
【００７５】
制御回路２３は、先ず、駆動位相差θを一旦３６０度として電力補正回路２２を始動させる。
【００７６】
制御回路２３の取得部２３１は、ＶＩ位相差φに応じて、規定範囲内の値（角度）である駆動位相差θを電力制御開始角として取得する。制御部２３２は、電力制御開始角から規定範囲の最小値（２７０）までの範囲で、第１駆動信号Ｇ１，Ｇ４（Ｇ２，Ｇ３）に対する第２駆動信号Ｇ６，Ｇ７（Ｇ５，Ｇ８）の位相の遅れである駆動位相差θを調整することにより、出力電力の大きさを調整する。
【００７７】
ここで、電力制御開始角とは、駆動位相差θを３６０度から徐々に小さくした場合に、コンデンサＣ１に電荷が蓄積され始める駆動位相差θに相当する。したがって、数式１“３６０（度）−電力制御開始角＋ＶＩ位相差＝９０（度）”が成立する。すなわち、取得部２３２は、数式２“電力制御開始角＝ＶＩ位相差φ＋２７０（度）”を用いて、電力制御開始角を算出（取得）する。
【００７８】
制御部２３２は、取得された電力制御開始角を初期値として、電力制御開始角から所定値（ここでは、規定範囲の下限値（２７０度））までの範囲で駆動位相差θを調整することにより、非接触給電装置２の出力電力の大きさを調整する。なお、電力制御開始角は、規定範囲（２７０度〜３６０度）に属する角度である。なお、本実施形態では、規定範囲の下限値（２７０度）を所定値としたが、必ずしも下限値とする必要はない。例えば、所定値は、出力電力の誤差を考慮した他の値（例えば、２７１）であってもよい。
【００７９】
図５から明らかなように、非接触給電装置２の出力電力は駆動位相差θに応じて変化するので、制御部２３２が駆動位相差θを設定値に調整することで出力電力の大きさの調整が可能となる。具体的には、制御部２３２は、電力制御開始角を初期値として、電力制御開始角から規定範囲の下限値（２７０度）にかけて駆動位相差θが徐々に小さくする。これにより、制御回路２３が規定範囲内で設定値を徐々に変化させる（小さくする）のに伴って、非接触給電装置２の出力電力が徐々に大きくなる。
【００８０】
なお、本実施形態において位相差制御時における周波数は、周波数制御にて調整後の周波数と同値である。要するに、位相差制御を行っている間、制御部２３２は周波数を、周波数制御で調整された最終的な周波数に固定している。
【００８１】
（２）位相差制御による出力電力制御の原理
以下、制御回路２３が位相差制御にて駆動位相差θを規定範囲内の設定値に調整することにより、非接触給電装置２の出力電力の大きさが調整される原理について、図６Ａ〜図８を参照して説明する。
【００８２】
位相差制御では、制御回路２３は、駆動位相差θを調整することにより、調整用コンデンサＣ１の充電と放電とのバランスを変化させ、インバータ回路２１のＶＩ位相差φを変化させる。そして、非接触給電装置２の出力電力は、インバータ回路２１のＶＩ位相差φによって調整される。
【００８３】
ここにおいて、調整用コンデンサＣ１が充電されるか放電されるかは、複数の調整用スイッチ素子Ｑ５〜Ｑ８のオンオフ、およびインバータ回路２１の出力電流の向きによって決まる。インバータ回路２１の出力電流は、一次側コイルＬ１を流れる電流であるから、以下「一次側電流Ｉ１」ともいう。第１の出力点２１３から、一次側コンデンサＣ１１、電力補正回路２２、一次側コイルＬ１、および一次側コンデンサＣ１２を通って第２の出力点２１４に流れる一次側電流Ｉ１の向き、つまり図１に矢印で示す一次側電流Ｉ１の向きを、「正方向」という。第２の出力点２１４から、一次側コンデンサＣ１２、一次側コイルＬ１、電力補正回路２２、および一次側コンデンサＣ１１を通って第１の出力点２１３に流れる一次側電流Ｉ１の向き、つまり図１に矢印で示す一次側電流Ｉ１とは逆の向きを、「負方向」という。
【００８４】
図６Ａ〜６Ｄは、複数の調整用スイッチ素子Ｑ５〜Ｑ８のオンオフと、一次側電流Ｉ１の向きとの組み合わせパターンを示している。図６Ａ〜６Ｄ中、太線矢印は電流経路を表し、点線の丸印が付された調整用スイッチ素子はオン状態の素子を表している。
【００８５】
図６Ａは、電力補正回路２２の状態として、調整用スイッチ素子Ｑ６，Ｑ７がオン、調整用スイッチ素子Ｑ５，Ｑ８がオフであって、負方向の一次側電流Ｉ１が流れている状態（以下、「第１充電モード」という）を表している。図６Ｂは、電力補正回路２２の状態として、調整用スイッチ素子Ｑ６，Ｑ７がオン、調整用スイッチ素子Ｑ５，Ｑ８がオフであって、正方向の一次側電流Ｉ１が流れている状態（以下、「第１放電モード」という）を表している。図６Ｃは、電力補正回路２２の状態として、調整用スイッチ素子Ｑ５，Ｑ８がオン、調整用スイッチ素子Ｑ６，Ｑ７がオフであって、正方向の一次側電流Ｉ１が流れている状態（以下、「第２充電モード」という）を表している。図６Ｄは、電力補正回路２２の状態として、調整用スイッチ素子Ｑ５，Ｑ８がオン、調整用スイッチ素子Ｑ６，Ｑ７がオフであって、負方向の一次側電流Ｉ１が流れている状態（以下、「第２放電モード」という）を表している。図６Ａに示す第１充電モード、および図６Ｃに示す第２充電モードにおいて、調整用コンデンサＣ１は充電される。一方、図６Ｂに示す第１放電モード、および図６Ｄに示す第２放電モードで、調整用コンデンサＣ１は放電される。
【００８６】
つまり、駆動位相差θが電力制御開始角に等しい場合、第１充電モードの期間と第１放電モードの期間との各時間長が等しくなる。また、駆動位相差θが電力制御開始角に等しい場合、第２充電モードの期間と第２放電モードの期間との各時間長が等しくなる。したがって、この場合、コンデンサＣ１には、電荷が蓄積されない。
【００８７】
次に、図７および図８を参照して、駆動位相差θと、調整用コンデンサＣ１の充電および放電のバランスとの関係について説明する。図７および図８ではいずれも、横軸を時間軸として、上から順に第１駆動信号「Ｇ１，Ｇ４」、一次側電流「Ｉ１」、２種類の第２駆動信号「Ｇ６，Ｇ７」の波形を表している。ここでいう２種類の第２駆動信号は互いに駆動位相差θが異なっている。なお、図７および図８中の「オン」、「オフ」は、対応するスイッチ素子（変換用スイッチ素子、調整用スイッチ素子）のオン、オフを表している。
【００８８】
図７は、「初期遅相」の場合におけるＶＩ位相差φが９０度である場合を例示している。このとき、取得部２３１は、上述に数式２を用いて、電力制御開始角（３６０度（＝９０＋２７０））を取得（算出）する。
【００８９】
図７では、２種類の第２駆動信号「Ｇ６，Ｇ７」の波形として、上から順に駆動位相差θが電力制御開始角（３６０度）のときの波形、駆動位相差θが３２０度のときの波形を表している。さらに、図７では、駆動位相差θが３６０度（電力制御開始角）の場合について、第１充電モードの期間を「Ｔｃａ１」、第１放電モードの期間を「Ｔｄａ１」、第２充電モードの期間を「Ｔｃａ２」、第２放電モードの期間を「Ｔｄａ２」で表している。同様に、駆動位相差θが３２０度の場合について、第１充電モードの期間を「Ｔｃｂ１」、第１放電モードの期間を「Ｔｄｂ１」、第２充電モードの期間を「Ｔｃｂ２」、第２放電モードの期間を「Ｔｄｂ２」で表している。
【００９０】
図７から明らかなように、電力制御開始角が３６０度であれば、第２駆動信号の１周期において、調整用コンデンサＣ１が充電される時間と、調整用コンデンサＣ１が放電される時間とは等しい（均衡する）。以下、第２駆動信号の１周期において、調整用コンデンサＣ１が充電される時間を充電時間という。また、第２駆動信号の１周期において、調整用コンデンサＣ１が放電される時間を放電時間という。例えば、駆動位相差θが３６０度であれば、「Ｔｃａ１」および「Ｔｃａ２」の合計と、「Ｔｄａ１」および「Ｔｄａ２」の合計とは、同じ長さになる。なお、第２駆動信号の１周期において、調整用コンデンサＣ１の充電時間と調整用コンデンサＣ１の放電時間とが等しい状態とは、充電時間および放電時間の各時間長の差が所定値以下に収まっている均衡状態に相当する。
【００９１】
一方、駆動位相差θが３２０度であれば、第２駆動信号の１周期において、充電時間が放電時間を上回る。つまり、駆動位相差θが３２０度であれば、「Ｔｃｂ１」および「Ｔｃｂ２」の合計は、「Ｔｄｂ１」および「Ｔｄｂ２」の合計よりも、長くなる。
【００９２】
上記より、駆動位相差θを３６０度から２７０度に近づくように徐々に変化させると、第２駆動信号の１周期において、充電時間と放電時間との均衡が破れ、徐々に、充電時間の占める割合が大きくなる。図７では、説明の便宜上、ＶＩ位相差φの変化についての表記は省略するが、実際には、駆動位相差θが変化すると、駆動位相差θの変化に伴ってＶＩ位相差φも初期値（ここでは９０度）から変化する。すなわち、充電時間が放電時間を上回ると、調整用コンデンサＣ１に電流が流れ込み、この電流の位相が調整用コンデンサＣ１の両端電圧の位相に対して９０度進むことになる。つまり、調整用コンデンサＣ１が進相コンデンサとして機能する。そして、調整用コンデンサＣ１に流れ込む電流によってＶＩ位相差φが小さくなり、出力電力が増加する。つまり、駆動位相差θを電力制御開始角より小さくした場合、駆動位相差θの変化と同じ角度だけＶＩ位相差φを小さくできる（調整用コンデンサＣ１の電圧と電流との位相差を９０度に維持するように作用するため）。結果的に、駆動位相差θが電力制御開始角から２７０度に近づくにつれて、非接触給電装置２の出力電力が、徐々に大きくなる。
【００９３】
このとき、駆動位相差θを電力制御開始角から小さくすれば、充電時間と放電時間との均衡が維持されるように、ＶＩ位相差φが小さくなる。つまり、駆動位相差θが電力制御開始角以下の領域でも、充電時間と放電時間とは均衡している。例えば、充電時間が放電時間を上回る関係が維持されるとすれば、調整用コンデンサＣ１に電荷が充電され続ける状態になり、調整用コンデンサＣ１の電圧が無限大に発散してしまう。しかしながら、実際には、ＶＩ位相差φが小さくなると、充電時間と放電時間とが再び均衡して、調整用コンデンサＣ１の電圧は発散しない。
【００９４】
また、図８は、「初期遅相」の場合におけるＶＩ位相差φが４５度である場合を例示している。このとき、取得部２３１は、数式１“電力制御開始角＝ＶＩ位相差φ＋２７０度”を用いて、電力制御開始角（３１５度（＝４５＋２７０））を取得（算出）する。
【００９５】
図８では、２種類の第２駆動信号「Ｇ６，Ｇ７」の波形として、上から順に駆動位相差θが電力制御開始角（３１５度）のときの波形、駆動位相差θが２９０度のときの波形を表している。さらに、図８では、駆動位相差θが３１５度（電力制御開始角）の場合について、第１充電モードの期間を「Ｔｃａ１」、第１放電モードの期間を「Ｔｄａ１」、第２充電モードの期間を「Ｔｃａ２」、第２放電モードの期間を「Ｔｄａ２」で表している。同様に、駆動位相差θが２９０度の場合について、第１充電モードの期間を「Ｔｃｂ１」、第１放電モードの期間を「Ｔｄｂ１」、第２充電モードの期間を「Ｔｃｂ２」、第２放電モードの期間を「Ｔｄｂ２」で表している。
【００９６】
ＶＩ位相差φが４５度であれば、図８から明らかなように、駆動位相差θが３１５度であっても、第２駆動信号の１周期において、充電時間と放電時間とは等しくなる（均衡する）。つまり、駆動位相差θが３１５度であっても、「Ｔｃａ１」および「Ｔｃａ２」の合計と、「Ｔｄａ１」および「Ｔｄａ２」の合計とは、同じ長さになる。一方、駆動位相差θが２９０度であれば、第２駆動信号の１周期において、充電時間が放電時間を上回る。つまり、駆動位相差θが２９０度であれば、「Ｔｃｂ１」および「Ｔｃｂ２」の合計は、「Ｔｄｂ１」および「Ｔｄｂ２」の合計よりも、長くなる。
【００９７】
上記より、ＶＩ位相差φが９０度の場合に限らず、「初期遅相」の場合には、駆動位相差θが電力開始角から２７０度に近づくように変化すると、第２駆動信号の１周期において、充電時間と放電時間との均衡が破れ、徐々に、充電時間の占める割合が大きくなる。しかし、上述のように、充電時間と放電時間との均衡を担保するべく、ＶＩ位相差φが小さくなり、充電時間と放電時間とが再び均衡する。
【００９８】
ここで、駆動位相差θを３６０度から徐々に小さくした場合に、充電時間と放電時間との均衡が破れて調整用コンデンサＣ１の両端電圧が上昇し始める変曲点に相当する駆動位相差θ（電力制御開始点）は、ＶＩ位相差φによって異なる。変化開始点は、ＶＩ位相差φが９０度のときよりも４５度のときの方が、つまりＶＩ位相差φが小さいほど、２７０度に近づく向きにシフトする。
【００９９】
すなわち、「初期遅相」の場合、ＶＩ位相差φによる違いはあるとしても、規定範囲（例えば２７０度〜３６０度）内に電力制御開始点が存在する。そのため、制御回路２３が、規定範囲の上限値（３６０度）から下限値（２７０度）にかけて駆動位相差θを徐々に小さくすれば、駆動位相差θが電力制御開始点に達した以降は、非接触給電装置２の出力電力は徐々に大きくなる。しかしながら、駆動位相差θが規定範囲の上限値（３６０度）から電力制御開始角に達するまでは、非接触給電装置２の出力電力は変化しないので、制御回路２３は、この期間においては、出力電力の大きさを調整することができない。
【０１００】
そこで、本実施形態では、取得部２３１は、上記数式２を用いて調整用コンデンサＣ１の両端電圧が上昇し始める駆動位相差θを電力制御開始角として取得（算出）する。制御部２３２は、取得された電力制御開始点を初期値として、電力制御開始点から規定範囲の下限値へと徐々に変化させることで、出力電力の大きさを調整する。これにより、制御部２３２は、規定範囲（２７０度〜３６０度）の上限値から徐々に変化させる場合よりも、すばやく出力電力の大きさを調整することができる。
【０１０１】
（３）出力電力制御の流れ
以下、本実施形態の「出力電力制御」の流れについて、制御回路２３の処理を表す図９のフローチャートを参照して説明する。なお、ここでは、制御回路２３が行う周波数制御および位相差制御のうち位相差制御の処理について説明する。
【０１０２】
制御回路２３が駆動位相差θを３６０度として電力補正回路２２を始動させると、制御回路２３の取得部２３１は、ＶＩ位相差φを取得する（ステップＳ１）。取得部２３１は、ＶＩ位相差φを用いて電力制御開始角を取得する（ステップＳ２）。具体的には、取得部２３１は、ＶＩ位相差φに値“２７０”を加算して、加算結果を電力制御開始角とする。
【０１０３】
制御回路２３は、取得された電力制御開始角を初期値として駆動位相差θに設定する（ステップＳ３）。
【０１０４】
制御回路２３は、駆動位相差θでの出力電力の大きさと所定の目標値とを比較する（ステップＳ４）。出力電力が目標値の許容誤差範囲（±数％）内にあれば（ステップＳ４における「定格」）、駆動位相差θとその時点での値に固定する（ステップＳ５）。制御回路２３は、ステップＳ５を実行後、処理を終了する。これにより、一次側コイルＬ１から出力される電力は、目標と同等となる。
【０１０５】
一方、出力電力が目標値の許容誤差範囲の下限を下回っていれば（ステップＳ４における「不足」）、制御回路２３は、駆動位相差θと規定範囲の下限値（ここでは、２７０度）とを比較する（ステップＳ６）。駆動位相差θが下限値以上であれば（ステップＳ６における「Ｎｏ」）、制御回路２３は駆動位相差θをデクリメント（θ−１）して（ステップＳ７）、ステップＳ４の処理に戻る。これらの処理（ステップＳ６，Ｓ７）を繰り返すことで、制御回路２３は、駆動位相差θを徐々に小さくして、出力電力を徐々に大きくすることができる。つまり、制御回路２３は、出力電力の大きさを所定の目標値に近づけることができる。
【０１０６】
位相差制御において駆動位相差θが下限値未満になると（ステップＳ６における「Ｙｅｓ」）、制御回路２３は、エラーと判断して（ステップＳ８）、処理を終了する。
【０１０７】
また、出力電力が目標値の許容誤差範囲の上限を上回っていれば（ステップＳ４における「超過」）、制御回路２３は、コンデンサＣ１の電圧値が“０”であるか否かを判断する（ステップＳ９）。コンデンサＣ１の電圧値が“０”より大きければ（ステップＳ９における「Ｎｏ」）、制御回路２３は駆動位相差θをインクリメント（θ＋１）して（ステップＳ１０）、ステップＳ４の処理に戻る。これらの処理（ステップＳ９，Ｓ１０）を繰り返すことにより、制御回路２３は、駆動位相差θを徐々に大きくして、出力電力を徐々に小さく、つまり所定の目標値に近づけることができる。
【０１０８】
コンデンサＣ１の電圧値が“０”になると（ステップＳ９における「Ｙｅｓ」）、制御回路２３は、電力制御開始角まで駆動位相差θを増加させたと判断し、ステップＳ８に移行する。制御回路２３は、ステップＳ８の処理を実行した後、電力補正回路２２による処理（出力電力の大きさを調整する処理）を抑止する。つまり、出力電力は、規定範囲の下限値から電力制御開始角までの範囲で変化する。駆動位相差θを徐々に大きくして電力制御開始角に達すると、それ以降駆動位相差θを大きくしても出力電力は変化しない。そこで、駆動位相差θを徐々に大きくして電力制御開始角に達した場合であって、出力電力の大きさが所定の目標値に達していない場合には、制御回路２３は、エラーとして判断する。これにより、制御回路２３は、出力電力が変化することがない区間（電力制御開始角〜規定範囲の上限値の区間）における位相差制御を省略することができる。このとき、制御回路２３は、電力補正回路２２を停止状態、つまり電力補正回路２２の全ての調整用スイッチ素子Ｑ５〜Ｑ８をオンにする。
【０１０９】
＜起動処理＞
本実施形態の非接触給電装置２は、インバータ回路２１が動作を開始する起動時において、以下に説明するようにインバータ回路２１をソフトスタートさせる。
【０１１０】
制御回路２３は、インバータ回路２１の起動時、変換用スイッチ素子Ｑ１〜Ｑ４を制御するための第１駆動信号Ｇ１〜Ｇ４のデューティ比を、０（ゼロ）から所定値（例えば０．５）まで徐々に上げることで、インバータ回路２１のソフトスタートを実現する。これにより、非接触給電装置２に入力される電圧や電流の急変が抑制され、回路素子に加わるストレスを低減できる。以下では、このように制御回路２３が第１駆動信号Ｇ１〜Ｇ４のデューティ比を変化させてインバータ回路２１をソフトスタートさせる処理を、「起動処理」という。
【０１１１】
本実施形態の非接触給電装置２は、制御回路２３が起動処理を行っている間、電力補正回路２２に関しては全ての調整用スイッチ素子Ｑ５〜Ｑ８をオンに固定し、電力補正回路２２の機能を無効にする。これにより、非接触給電装置２は、「（１）電力補正回路なし」（上記「基本動作」の欄参照）と等価の状態となる。
【０１１２】
制御回路２３は、インバータ回路２１の起動処理が終了すると、つまり第１駆動信号Ｇ１〜Ｇ４のデューティ比が所定値（例えば０．５）に達すると、周波数制御にて出力電力の調整を開始する。このとき、制御回路２３は、電力補正回路２２の調整用スイッチ素子Ｑ５〜Ｑ８をオン状態に維持する。
【０１１３】
そして、制御回路２３は、周波数制御にて調整後の出力電力の大きさが所定の目標値未満である場合に、電力補正回路２２の動作を開始させる。具体的には、制御回路２３は、第２駆動信号Ｇ５〜Ｇ８にて調整用スイッチ素子Ｑ５〜Ｑ８のスイッチング制御を開始する。これにより、非接触給電装置２は、「（２）電力補正回路あり」（上記「基本動作」の欄参照）と等価の状態となる。このとき、制御回路２３は、駆動位相差θを３６０（度）に一旦設定して電力補正回路２２を始動させることが好ましい。その後、制御回路２３は、取得部２３１で取得した電力制御開始角を初期値とし、駆動位相差θを電力制御開始角から徐々に小さくして、出力電力の大きさを調整する。
【０１１４】
この構成によれば、周波数制御のみで出力電力の大きさが目標値に達する場合には、制御回路２３は、電力補正回路２２を始動させないので、電力補正回路２２による効率（電力変換効率）の低下を避けることができる。
【０１１５】
ところで、制御回路２３は、周波数制御にて出力電力の調整する前に、電力補正回路２２の動作を開始させて位相差制御にて出力電力の調整を行うように構成されていてもよい。すなわち、制御回路２３は、周波数制御を行う前に、位相差制御にて出力電力の調整を行い、位相差制御にて調整後の出力電力の大きさが所定の目標値未満である場合に、周波数制御を行ってもよい。
【０１１６】
＜サーチモード＞
本実施形態においては、制御回路２３は、上述したような出力電力制御を行う通常モード（起動処理を含む）の他に、一次側コイルＬ１と二次側コイルＬ２との間の結合係数を推定するサーチモードを有している。制御回路２３は、上記起動処理、周波数制御および位相差制御を行う前に、つまり通常モードで動作する前にサーチモードによる処理を実行して一次側コイルＬ１と二次側コイルＬ２との間の結合係数を推定する。
【０１１７】
制御回路２３は、結合係数から、上記「基本動作」の「（１）電力補正回路あり」の欄で説明したような共振特性（つまりインバータ回路２１の動作周波数と、非接触給電装置２の出力電力との関係）をさらに推定することができる。その結果、制御回路２３では、例えばインバータ回路２１の動作周波数ｆ１について、インバータ回路２１が遅相モードで動作する（つまり進相モードにならない）周波数範囲を推定できる。これにより、制御回路２３は、通常モードでの動作を開始する際の動作周波数ｆ１の初期値を、インバータ回路２１が遅相モードで動作する周波数範囲内に設定することができる。なお、この場合、上述した周波数制御における動作周波数ｆ１の下限値は、インバータ回路２１が遅相モードで動作する周波数範囲の下限値と、許可周波数帯Ｆ１の下限値ｆｍｉｎとの大きい方とされる。
【０１１８】
＜変形例＞
本実施形態において、一次側コイルＬ１および二次側コイルＬ２は、コアに対して導線が螺旋状に巻き付けられたソレノイド型のコイルであってもよい。
【０１１９】
また、電力補正回路２２は、本実施形態のように４つの調整用スイッチ素子Ｑ５〜Ｑ８を用いた構成に限定されない。出力電力の大きさを調整する回路は、図１に示す電力補正回路２２と等価な機能を有する回路であればよい。
【０１２０】
また、非接触給電装置２から非接触で出力電力が供給される（つまり給電される）負荷は、電動車両に限らず、例えば携帯電話機やスマートフォンなどの蓄電池を備えた電気機器、あるいは蓄電池を備えない照明器具などの電気機器であってもよい。
【０１２１】
また、非接触給電装置２から非接触受電装置３への出力電力の伝送方式は、上述した磁界共鳴方式に限らず、例えば電磁誘導方式、マイクロ波伝送方式などであってもよい。
【０１２２】
また、各変換用スイッチ素子Ｑ１〜Ｑ４や各調整用スイッチ素子Ｑ５〜Ｑ８は、バイポーラトランジスタやＩＧＢＴ（Ｉｎｓｕｌａｔｅｄ  Ｇａｔｅ  Ｂｉｐｏｌａｒ  Ｔｒａｎｓｉｓｔｏｒ）等の他の半導体スイッチング素子で構成されていてもよい。
【０１２３】
また、各ダイオードＤ１〜Ｄ４は、各変換用スイッチ素子Ｑ１〜Ｑ４の寄生ダイオードに限らず、各変換用スイッチ素子Ｑ１〜Ｑ４に外付けされていてもよい。同様に、各ダイオードＤ５〜Ｄ８は、各調整用スイッチ素子Ｑ５〜Ｑ８の寄生ダイオードに限らず、各調整用スイッチ素子Ｑ５〜Ｑ８に外付けされていてもよい。
【０１２４】
また、計測部２４は、制御回路２３と別に設けられる構成に限らず、制御回路２３と一体に設けられていてもよい。さらに、計測部２４は一次側コイルＬ１に流れる電流の大きさを計測できればよいので、電流センサ２５は、一次側コイルＬ１と第２の一次側コンデンサＣ１２との間に限らず、一次側コイルＬ１に流れる電流の経路上にあればよい。
【０１２５】
また、制御回路２３の制御部２３２は、周波数制御を行うことは必須ではなく、位相差制御のみで出力電力の大きさを調整するように構成されていてもよい。
【０１２６】
また、１つの制御回路２３に取得部２３１と制御部２３２とが設けられていることは必須ではなく、例えば取得部２３１は制御部２３２とは別に設けられていてもよい。
【０１２７】
また、インバータ回路２１は、直流電圧を交流電圧に変換して出力可能な電圧形インバータであればよく、４つの変換用スイッチ素子Ｑ１〜Ｑ４がフルブリッジ接続されたフルブリッジインバータ回路に限らない。インバータ回路２１は、例えばハーフブリッジインバータ回路であってもよい。
【０１２８】
また、非接触給電装置２において、電力補正回路２２は、出力点２１３，２１４の少なくとも一方と一次側コイルＬ１との間に電気的に接続されていればよく、出力点２１３と一次側コイルＬ１との間に代えて、出力点２１４と一次側コイルＬ１との間に電気的に接続されてもよい。
【０１２９】
また、非接触給電装置２は、周波数制御を行う場合には電力補正回路２２は無効状態としたが、駆動位相差θを初期値として３６０度に設定して電力補正回路２２を動作させてもよい。このとき、第１駆動信号Ｇ１，Ｇ４と第２駆動信号Ｇ６，Ｇ７とが同期して同様に変化し、第１駆動信号Ｇ２，Ｇ３と第２駆動信号Ｇ５，Ｇ８とが同期して同様に変化する。そのため、電力補正回路２２は動作しても、調整用コンデンサＣ１には電荷は蓄積されない。
【０１３０】
＜まとめ＞
以上説明したように、本発明に係る第１の態様の非接触給電装置２は、インバータ回路２１と、給電側コイルＬ１と、電力補正回路２２と、制御回路２３とを備える。インバータ回路２１は、一対の入力点２１１，２１２と一対の出力点２１３，２１４との間に電気的に接続された複数の変換用スイッチ素子Ｑ１〜Ｑ４を有している。インバータ回路２１は、複数の変換用スイッチ素子Ｑ１〜Ｑ４のスイッチングにより、一対の入力点２１１，２１２に印加される直流電圧を交流電圧に変換して一対の出力点２１３，２１４から出力する。給電側コイルＬ１は、一対の出力点２１３，２１４間に電気的に接続され、交流電圧が印加されることにより受電側コイルＬ２に非接触で出力電力を供給する。電力補正回路２２は、一対の出力点２１３，２１４のうち少なくとも一方と給電側コイルＬ１との間に電気的に接続され、調整用コンデンサＣ１および複数の調整用スイッチ素子Ｑ５〜Ｑ８を有している。電力補正回路２２は、複数の調整用スイッチ素子Ｑ５〜Ｑ８のスイッチングにより、調整用コンデンサＣ１の充放電を行う。制御回路２３は、第１駆動信号Ｇ１〜Ｇ４にて複数の変換用スイッチ素子Ｑ１〜Ｑ４を制御し、第２駆動信号Ｇ５〜Ｇ８にて複数の調整用スイッチ素子Ｑ５〜Ｑ８を制御する。インバータ回路２１は、電圧位相に対して電流位相が遅れ位相になる遅相モードで動作している。制御回路２３は、第１駆動信号Ｇ１，Ｇ４（Ｇ２，Ｇ３）に対する第２駆動信号Ｇ６，Ｇ７（Ｇ５，Ｇ８）の位相の遅れである第１位相差（駆動位相差θ）を調整することにより、出力電力の大きさを調整するように構成されている。制御回路２３は、第２位相差（ＶＩ位相差φ）を用いて、第２駆動信号Ｇ６，Ｇ７（Ｇ５，Ｇ８）の１周期において調整用コンデンサＣ１が充電される時間と調整用コンデンサＣ１が放電される時間とが等しくなる第１位相差を電力制御開始角として取得する。制御回路２３は、電力制御開始角以下で第１位相差を調整することにより、出力電力の大きさを調整する。第２位相差は、インバータ回路２１の出力電圧に対する給電側コイルＬ１に流れる電流の位相の遅れである。
【０１３１】
この構成によると、非接触給電装置２は、第１駆動信号Ｇ１，Ｇ４（Ｇ２，Ｇ３）に対する第２駆動信号Ｇ６，Ｇ７（Ｇ５，Ｇ８）の位相の遅れである位相差を調整することにより、出力電力の大きさを調整することができる。したがって、一次側コイルＬ１と二次側コイルＬ２との相対的な位置関係が変化して、一次側コイルＬ１と二次側コイルＬ２との間の結合係数が変化したとしても、非接触給電装置２は、位相差の調整により必要な電力を確保しやすくなる。しかも、非接触給電装置２は、第２位相差を用いて調整用コンデンサＣ１に電荷が溜まり始める角度である電力制御開始角を取得している。非接触給電装置２は、駆動位相差θを、所定値（例えば規定範囲の下限値）から電力制御開始角までの範囲内で調整するので、必要な電力を短時間で確保しやすくなる。
【０１３２】
また、本発明に係る第２の態様の非接触給電装置２では、第１の態様において、制御回路２３は、電力制御開始角を初期値として、第１位相差を徐々に小さくして、出力電力を大きくする。この構成によると、第１位相差を徐々に小さくすることで出力電力を増加させることができる。
【０１３３】
また、本発明に係る第３の態様の非接触給電装置２では、第１又は２の態様において、制御回路２３は、第２位相差を所定値に加算して、電力制御開始角を取得する。この構成によると、非接触給電装置２は、第２位相差（ＶＩ位相差φ）に所定値を加算することで、電力制御開始角を取得することができる。
【０１３４】
また、本発明に係る第４の態様の非接触給電装置２では、第３の態様において、所定値は、２７０度である。この構成によると、非接触給電装置２は、出力電力の大きさを調整する範囲を、規定範囲（２７０度〜３６０度）から絞り込むことができる。
【０１３５】
また、本発明に係る第５の態様の非接触給電装置２では、第１〜第４のいずれかの態様において、制御回路２３は、出力電力の大きさが減少している場合に調整用コンデンサＣ１の電圧が０になると、電力補正回路２２を停止状態にする。出力電力の大きさが減少している場合には、非接触給電装置２は、駆動位相差θを調整することで、調整用コンデンサＣ１について放電期間を徐々に長くしている。調整用コンデンサＣ１の電圧値が０となると、充電期間と放電期間とは同一、つまり駆動位相差θが電力制御開始角となる。そして、非接触給電装置２は、電力補正回路２２による出力電力の大きさの調整を抑止することで、出力電力が変化することがない区間における制御を省略することができる。
【０１３６】
また、本発明に係る第６の態様の非接触給電装置２では、第１〜第５のいずれかの態様において、電力補正回路２２は、一対の出力点２１３，２１４のうち一方と給電側コイルＬ１との間に電気的に接続されている。この構成によると、非接触給電装置２は、第１駆動信号Ｇ１，Ｇ４（Ｇ２，Ｇ３）に対する第２駆動信号Ｇ６，Ｇ７（Ｇ５，Ｇ８）の位相の遅れである位相差を調整することにより、出力電力の大きさを調整することができる。
【０１３７】
また、本発明に係る第７の態様の非接触電力伝送システム１は、第１〜第６のいずれかの態様の非接触給電装置２と、受電側コイルＬ２を有する非接触受電装置３とを備える。非接触受電装置３は、非接触給電装置２から非接触で出力電力が受電側コイルＬ２に供給されるように構成されている。この構成によると、非接触電力伝送システム１では、非接触給電装置２は、給電側コイルと受電側コイルとの相対的な位置関係が変化しても、必要な電力を短時間で確保しやすくなる。
【０１３８】
本発明に係る第８の態様のプログラムは、非接触給電装置２に用いられるコンピュータを、制御部２３２、取得部２３１として機能させる。非接触給電装置２は、インバータ回路２１と、給電側コイルＬ１と、電力補正回路２２とを備える。インバータ回路２１は、一対の入力点２１１，２１２と一対の出力点２１３，２１４との間に電気的に接続された複数の変換用スイッチ素子Ｑ１〜Ｑ４を有している。インバータ回路２１は、複数の変換用スイッチ素子Ｑ１〜Ｑ４のスイッチングにより、一対の入力点２１１，２１２に印加される直流電圧を交流電圧に変換して一対の出力点２１３，２１４から出力する。給電側コイルＬ１は、一対の出力点２１３，２１４間に電気的に接続され、交流電圧が印加されることにより受電側コイルＬ２に非接触で出力電力を供給する。電力補正回路２２は、一対の出力点２１３，２１４と給電側コイルＬ１との間に電気的に接続され、調整用コンデンサＣ１および複数の調整用スイッチ素子Ｑ５〜Ｑ８を有している。電力補正回路２２は、複数の調整用スイッチ素子Ｑ５〜Ｑ８のスイッチングにより、調整用コンデンサＣ１の充放電を行う。インバータ回路２１は、電圧位相に対して電流位相が遅れ位相になる遅相モードで動作する。制御部２３２は、第１駆動信号Ｇ１〜Ｇ４にて複数の変換用スイッチ素子Ｑ１〜Ｑ４を制御し、第２駆動信号Ｇ５〜Ｇ８にて複数の調整用スイッチ素子Ｑ５〜Ｑ８を制御する。制御部２３２は、第１駆動信号Ｇ１，Ｇ４（Ｇ２，Ｇ３）に対する第２駆動信号Ｇ６，Ｇ７（Ｇ５，Ｇ８）の位相の遅れである第１位相差（駆動位相差θ）を調整することにより、出力電力の大きさを調整する。取得部２３１は、第２位相差（ＶＩ位相差φ）を用いて、第２駆動信号Ｇ６，Ｇ７（Ｇ５，Ｇ８）の１周期において調整用コンデンサＣ１が充電される時間と調整用コンデンサＣ１が放電される時間とが等しくなる第１位相差を電力制御開始角として取得する。制御部は、電力制御開始角以下の範囲で第１位相差を調整することにより、出力電力の大きさを調整する。第２位相差は、インバータ回路２１の出力電圧に対する給電側コイルＬ１に流れる電流の位相の遅れである。
【０１３９】
このプログラムによると、専用の制御回路２３を用いなくても本実施形態の非接触給電装置２と同等の機能を実現でき、給電側コイルと受電側コイルとの相対的な位置関係が変化しても、必要な電力を短時間で確保しやすい、という利点がある。
【０１４０】
本発明に係る第９の態様の非接触給電装置の制御方法は、制御処理と、取得処理とを含む。非接触給電装置２は、インバータ回路２１と、給電側コイルＬ１と、電力補正回路２２とを備える。インバータ回路２１は、一対の入力点２１１，２１２と一対の出力点２１３，２１４との間に電気的に接続された複数の変換用スイッチ素子Ｑ１〜Ｑ４を有している。インバータ回路２１は、複数の変換用スイッチ素子Ｑ１〜Ｑ４のスイッチングにより、一対の入力点２１１，２１２に印加される直流電圧を交流電圧に変換して一対の出力点２１３，２１４から出力する。給電側コイルＬ１は、一対の出力点２１３，２１４間に電気的に接続され、交流電圧が印加されることにより受電側コイルＬ２に非接触で出力電力を供給する。電力補正回路２２は、一対の出力点２１３，２１４と給電側コイルＬ１との間に電気的に接続され、調整用コンデンサＣ１および複数の調整用スイッチ素子Ｑ５〜Ｑ８を有している。電力補正回路２２は、複数の調整用スイッチ素子Ｑ５〜Ｑ８のスイッチングにより、調整用コンデンサＣ１の充放電を行う。インバータ回路２１は電圧位相に対して電流位相が遅れ位相になる遅相モードで動作する。制御処理は、第１駆動信号Ｇ１〜Ｇ４にて複数の変換用スイッチ素子Ｑ１〜Ｑ４を制御し、第２駆動信号Ｇ５〜Ｇ８にて複数の調整用スイッチ素子Ｑ５〜Ｑ８を制御する。制御処理は、第１駆動信号Ｇ１，Ｇ４（Ｇ２，Ｇ３）に対する第２駆動信号Ｇ６，Ｇ７（Ｇ５，Ｇ８）の位相の遅れである第１位相差（駆動位相差θ）を調整することにより、出力電力の大きさを調整する。取得処理は、第２位相差（ＶＩ位相差φ）を用いて、第２駆動信号Ｇ６，Ｇ７（Ｇ５，Ｇ８）の１周期において調整用コンデンサＣ１が充電される時間と調整用コンデンサＣ１が放電される時間とが等しくなる第１位相差を電力制御開始角として取得する。制御処理は、電力制御開始角以下の範囲で第１位相差を調整することにより、出力電力の大きさを調整する。第２位相差は、インバータ回路２１の出力電圧に対する給電側コイルＬ１に流れる電流の位相の遅れである。
【０１４１】
この制御方法によると、専用の制御回路２３を用いなくても本実施形態の非接触給電装置２と同等の機能を実現できる。
【符号の説明】
【０１４２】
１非接触電力伝送システム
２非接触給電装置
３非接触受電装置
２１インバータ回路
２１１，２１２一対の入力点
２１３，２１４一対の出力点
２２電力補正回路
２３制御回路
２３１取得部
２３２制御部
Ｃ１調整用コンデンサ
Ｇ１〜Ｇ４第１駆動信号
Ｇ５〜Ｇ８第２駆動信号
Ｌ１一次側コイル（給電側コイル）
Ｌ２二次側コイル（受電側コイル）
Ｑ１〜Ｑ４変換用スイッチ素子
Ｑ５〜Ｑ８調整用スイッチ素子
θ  駆動位相差（第１位相差）
φ  電圧電流位相差（ＶＩ位相、第２位相差）
【図１】
0006685015.tif 000002
【図２】
0006685015.tif 000003
【図３】
0006685015.tif 000004
【図４】
0006685015.tif 000005
【図５】
0006685015.tif 000006
【図６】
0006685015.tif 000007
【図７】
0006685015.tif 000008
【図８】
0006685015.tif 000009
【図９】
0006685015.tif 000010